(57)【要約】【課題】インターフェースを自動的に切り替える保存装置を提供する。【解決手段】保存装置は、第一電圧信号を伝送する第一ピンを備える第一インターフェースコネクターと、データを保存するＨＤＤと、第二インターフェースコネクターと、第一端と、第二端と、第一端から第一電圧信号を受信したときに第二電圧を出力する第三端を備える第一電圧安定器と、第二電圧を受ける電圧端と、第一端と、第二端を備える第一インターフェース／第二インターフェース変換コントローラーとを含む。そのうち第一インターフェース／第二インターフェース変換コントローラーは電圧端が第二電圧を受信しないときに第二端を高インピーダンスにする。【選択図】図４
2008192123.tif 000002
【特許請求の範囲】
【請求項１】
インターフェースを自動的に切り替える保存装置であって、
第一電圧信号を伝送する第一ピンを備える第一インターフェースコネクターと、
データを保存するハードディスクドライブ（ＨＤＤ）と、
第二インターフェースは上記第一インターフェースと異なり、ＨＤＤに結合される第二インターフェースコネクターと、
第一インターフェースコネクターの第一ピンに結合される第一端と、第一電圧に結合される第二端と、第一端から第一電圧信号を受信したときに第二電圧を出力する第三端を備え、第一電圧を第二電圧に変換するための第一電圧安定器と、
第一電圧安定器の第三端に結合され、第二電圧を受ける電圧端と、第一インターフェースコネクターに結合される第一端と、第二インターフェースコネクターに結合される第二端を備え、第一インターフェースのデータを第二インターフェースのデータに変換するための第一インターフェース／第二インターフェース変換コントローラーとを含み、
第一インターフェース／第二インターフェース変換コントローラーは電圧端が第二電圧を受信しないときに、第二端を高インピーダンスにすることを特徴とする保存装置。
【請求項２】
前記第一インターフェースコネクターはＵＳＢ（ユニバーサルシリアルバス）コネクターであり、前記第一インターフェースはＵＳＢインターフェースであることを特徴とする請求項１記載の保存装置。
【請求項３】
前記第一インターフェースコネクターは更に、
第一インターフェース／第二インターフェース変換コントローラーに結合され、データを伝送するための第一データピンと、
第一インターフェース／第二インターフェース変換コントローラーに結合され、データを伝送するための第二データピンと、
第一インターフェース／第二インターフェース変換コントローラーに結合される接地ピンとを含むことを特徴とする請求項２記載の保存装置。
【請求項４】
前記保存装置は更に、
第二電圧信号を伝送するための第一ピンを備える第三インターフェースコネクターと、
第三インターフェースコネクターの第一ピンに結合される第一端と、第一電圧に結合される第二端と、第一端が第二電圧信号を受信したときに第三電圧を出力する第三端を備え、第一電圧を第三電圧に変換するための第二電圧安定器と、
第二電圧安定器の第三端に結合され、第三電圧を受ける電圧端と、第三インターフェースコネクターに結合される第一端と、第二インターフェースコネクターに結合される第二端を備え、第三インターフェースのデータを第二インターフェースのデータに変換するための第三インターフェース／第二インターフェース変換コントローラーとを含み、
第三インターフェース／第二インターフェース変換コントローラーは電圧端が第三電圧を受信しないときに、第二端を高インピーダンスにすることを特徴とする請求項２記載の保存装置。
【請求項５】
前記第三インターフェースコネクターはＩＥＥＥ（電気電子技術者協会）１３９４コネクターであり、前記第三インターフェースはＩＥＥＥ１３９４インターフェースであることを特徴とする請求項４記載の保存装置。
【請求項６】
前記第三インターフェースコネクターは更に、
第三インターフェース／第二インターフェース変換コントローラーに結合され、データを伝送するための第一データペアピンと、
第三インターフェース／第二インターフェース変換コントローラーに結合され、データを伝送するための第二データペアピンと、
第三インターフェース／第二インターフェース変換コントローラーに結合される接地ピンとを含むことを特徴とする請求項５記載の保存装置。
【請求項７】
前記第二インターフェースコネクターはＳＡＴＡ（シリアルアドバンスドテクノロジーアタッチメント）コネクターであり、前記第三インターフェースはＳＡＴＡインターフェースであることを特徴とする請求項１記載の保存装置。
【請求項８】
前記第一インターフェースコネクターはＩＥＥＥ１３９４コネクターであり、前記第一インターフェースはＩＥＥＥ１３９４インターフェースであることを特徴とする請求項１記載の保存装置。
【請求項９】
前記第一インターフェースコネクターは更に、
第一インターフェース／第二インターフェース変換コントローラーに結合され、データを伝送するための第一データペアピンと、
第一インターフェース／第二インターフェース変換コントローラーに結合され、データを伝送するための第二データペアピンと、
第一インターフェース／第二インターフェース変換コントローラーに結合される接地ピンとを含むことを特徴とする請求項８記載の保存装置。
【請求項１０】
インターフェースを自動的に切り替える保存装置であって、
第一電圧信号を伝送する第一ピンを備える第一インターフェースコネクターと、
第二電圧信号を伝送する第一ピンを備える第二インターフェースコネクターと、
第一インターフェースコネクターの第一ピンに結合される第一端と、第一電圧に結合される第二端と、第一端が第一電圧信号を受信するときに第二電圧を出力する第三端を備え、第一電圧を第二電圧に変換するための第一電圧安定器と、
第二インターフェースの第一ピンに結合される第一端と、第一電圧に結合される第二端と、第一端が第二電圧信号を受信するときに第三電圧を出力する第三端を備え、第一電圧を第三電圧に変換するための第二電圧安定器と、
第一電圧安定器の第三端に結合され、第二電圧を受ける電圧端と、第一インターフェースコネクターに結合される第一端と、ＨＤＤに結合される第二端を備え、第一インターフェースのデータを第三インターフェースのデータに変換するための第一インターフェース／第三インターフェース変換コントローラーと、
第二電圧安定器の第三端に結合され、第三電圧を受ける電圧端と、第二インターフェースコネクターに結合される第一端と、ＨＤＤに結合される第二端を備え、第二インターフェースのデータを第三インターフェースのデータに変換するための第二インターフェース／第三インターフェース変換コントローラーとを含み、
第一インターフェース／第三インターフェース変換コントローラーは電圧端が第二電圧を受信しないときに第二端を高インピーダンスにし、第二インターフェース／第三インターフェース変換コントローラーは電圧端が第三電圧を受信しないときに第二端を高インピーダンスにすることを特徴とする保存装置。
【請求項１１】
前記第一インターフェースコネクターはＵＳＢコネクターであり、前記第一インターフェースはＵＳＢインターフェースであることを特徴とする請求項１０記載の保存装置。
【請求項１２】
前記第二インターフェースコネクターはＩＥＥＥ１３９４コネクターであり、前記第二インターフェースはＩＥＥＥ１３９４インターフェースであることを特徴とする請求項１０記載の保存装置。
【請求項１３】
前記第三インターフェースはＳＡＴＡインターフェースであることを特徴とする請求項１０記載の保存装置。
【請求項１４】
前記第一インターフェースコネクターは更に、
第一インターフェース／第二インターフェース変換コントローラーに結合され、データを伝送するための第一データピンと、
第一インターフェース／第二インターフェース変換コントローラーに結合され、データを伝送するための第二データピンと、
第一インターフェース／第二インターフェース変換コントローラーに結合される接地ピンとを含むことを特徴とする請求項１１記載の保存装置。
【請求項１５】
前記第二インターフェースコネクターは更に、
第二インターフェース／第三インターフェース変換コントローラーに結合され、データを伝送するための第一データペアピンと、
第二インターフェース／第三インターフェース変換コントローラーに結合され、データを伝送するための第二データペアピンと、
第二インターフェース／第三インターフェース変換コントローラーに結合される接地ピンとを含むことを特徴とする請求項１２記載の保存装置。
【請求項１６】
前記保存装置は更に、ＨＤＤに結合される第三インターフェースコネクターを含むことを特徴とする請求項１０記載の保存装置。
【発明の詳細な説明】
【技術分野】
【０００１】
この発明は保存装置に関し、特にインターフェースを自動的に切り替える保存装置に関する。
【背景技術】
【０００２】
図１を参照する。図１は従来のハードディスクドライブ（ＨＤＤ）外付けケース１００を表す説明図である。図に示すように、ＨＤＤ外付けケース１００はＳＡＴＡ（シリアルアドバンスドテクノロジーアタッチメント）コネクター１０１と、ＵＳＢ（ユニバーサルシリアルバス）コネクター１０２と、ＵＳＢ／ＳＡＴＡ変換コントローラー１０３と、電圧安定器１０４と、スイッチ１０５と、ＨＤＤ１０６を含む。ＨＤＤ外付けケース１００は、コンピューター１０９のＳＡＴＡインターフェース１０７とＵＳＢインターフェース１０８を介してコンピューター１０９とデータを交換し、コンピューター１０９のデータをＨＤＤ１０６に保存する。ＨＤＤ１０６はＳＡＴＡ規格に準拠する装置であり、そのデータはＳＡＴＡ形式で送受信される。ＳＡＴＡコネクター１０１はコンピューター１０９のＳＡＴＡインターフェース１０７に結合され、それより受信したＳＡＴＡ信号をスイッチ１０５を介してＨＤＤ１０６に転送する。ＵＳＢコネクター１０２はコンピューター１０９のＵＳＢインターフェース１０８に結合され、それより受信したＵＳＢ信号をＵＳＢ／ＳＡＴＡ変換コントローラー１０３に転送する。ＵＳＢ／ＳＡＴＡ変換コントローラー１０３は受信したＵＳＢ信号をＳＡＴＡ信号に変換し、これをスイッチ１０５を介してＨＤＤ１０６に転送する。ＵＳＢ／ＳＡＴＡ変換コントローラー１０３に結合される電圧安定器１０４は、電圧を所要の電圧に変換してＵＳＢ／ＳＡＴＡ変換コントローラー１０３に供給する。スイッチ１０５は制御端Ｃと、第一端１と、第二端２と、出力端Ｏを備え、制御端Ｃから受信した制御指令Ｘにしたがって第一端１または第二端２を出力端０に結合する。言い換えれば、スイッチ１０５は、制御指令ＸにしたがってＵＳＢ／ＳＡＴＡ変換コントローラー１０３またはＳＡＴＡコネクター１０１からのＳＡＴＡ信号をＨＤＤ１０６に転送する。当該制御指令Ｘはユーザーが手動で入力する指令である。例えば、スイッチ１０５の第一端１を出力端Ｏに結合しようとすれば、これを内容とする制御指令Ｘを手動で入力しなければならない。ＨＤＤ外付けケース１００は一般に、ＳＡＴＡインターフェース１０７またはＵＳＢインターフェース１０８のいずれかのみでコンピューター１０９とデータを交換する。そのため、ＨＤＤ外付けケース１００をコンピューター１０９のＳＡＴＡインターフェース１０７に結合する場合、ＳＡＴＡコネクター１０１から受信したデータをＨＤＤ１０６に転送するため、ユーザーはスイッチ１０５を手動で切り替えて第二端２を出力端Ｏに結合しなければならない。同じく、ＨＤＤ外付けケース１００をコンピューター１０９のＵＳＢインターフェース１０８に結合する場合、ＵＳＢ／ＳＡＴＡ変換コントローラー１０３で変換されたデータをＨＤＤ１０６に転送するため、ユーザーはスイッチ１０５を手動で切り替えて第一端１を出力端Ｏに結合しなければならない。言い換えれば、ＨＤＤ外付けケース１００をコンピューター１０９に結合するたび、インターフェースの形式を確認するうえでスイッチ１０５を手動で切り替えなければならないため、不便である。
【発明の開示】
【発明が解決しようとする課題】
【０００３】
この発明は前記従来の問題を解決するため、インターフェースを自動的に切り替える保存装置を提供することを課題とする。
【課題を解決するための手段】
【０００４】
この発明はインターフェースを自動的に切り替える保存装置を提供する。該保存装置は、第一電圧信号を伝送する第一ピンを備える第一インターフェースコネクター、データを保存するハードディスクドライブ（ＨＤＤ）、上記第二インターフェースは上記第一インターフェースと異なり、ＨＤＤに結合される第二インターフェースコネクター、第一インターフェースコネクターの第一ピンに結合される第一端と、第一電圧に結合される第二端と、第一端が第一電圧信号を受信したときに第二電圧を出力する第三端とを備え、第一電圧を第二電圧に変換するための第一電圧安定器、第一電圧安定器の第三端に結合され、第二電圧を受ける電圧端と、第一インターフェースコネクターに結合される第一端と、第二インターフェースコネクターに結合される第二端とを備え、第一インターフェースのデータを第二インターフェースのデータに変換するための第一インターフェース／第二インターフェース変換コントローラー、を含む。そのうち第一インターフェース／第二インターフェース変換コントローラーは電圧端が第二電圧を受信しないときに、第二端を高インピーダンスにする。
【０００５】
この発明による、インターフェースを自動的に切り替える別の保存装置は、第一電圧信号を伝送する電圧ピンを備える第一インターフェースコネクター、第二電圧信号を伝送する電圧ピンを備える第二インターフェースコネクター、第一インターフェースの第一ピンに結合される第一端と、第一電圧に結合される第二端と、第一端が第一電圧信号を受信するときに第二電圧を出力する第三端とを備え、第一電圧を第二電圧に変換するための第一電圧安定器、第二インターフェースの第一ピンに結合される第一端と、第一電圧に結合される第二端と、第一端が第二電圧信号を受信するときに第三電圧を出力する第三端とを備え、第一電圧を第三電圧に変換するための第二電圧安定器、第一電圧安定器の第三端に結合され、第二電圧を受ける電圧端と、第一インターフェースコネクターに結合される第一端と、ＨＤＤに結合される第二端とを備え、第一インターフェースのデータを第三インターフェースのデータに変換するための第一インターフェース／第三インターフェース変換コントローラー、第二電圧安定器の第三端に結合され、第三電圧を受ける電圧端と、第二インターフェースコネクターに結合される第一端と、ＨＤＤに結合される第二端とを備え、第二インターフェースのデータを第三インターフェースのデータに変換するための第二インターフェース／第三インターフェース変換コントローラー、を含む。そのうち第一インターフェース／第三インターフェース変換コントローラーは電圧端が第二電圧を受信しないときに第二端を高インピーダンスにし、第二インターフェース／第三インターフェース変換コントローラーは電圧端が第三電圧を受信しないときに第二端を高インピーダンスにする。
【発明の効果】
【０００６】
この発明は、ＵＳＢコネクターのピンの電位を判断することで、ＵＳＢコネクターがＵＳＢインターフェースに結合されているかどうかを判断し、これに基づいて所要のインターフェースを自動的に切り替える。したがって、手動操作は不要とされる。
【発明を実施するための最良の形態】
【０００７】
かかる装置の特徴を詳述するために、具体的な実施例を挙げ、図を参照して以下に説明する。
【実施例１】
【０００８】
図２を参照する。図２はＵＳＢコネクター１０２を表す説明図である。図に示すように、ＵＳＢコネクター１０２は４本のピンＰ１、Ｐ２、Ｐ３、Ｐ４を備え、これを用いてコンピューター１０９のＵＳＢインターフェース１０８の対応するピンに結合する。各ピンは各々異なった機能を有する。詳しく言えば、ピンＰ１はコンピューター１０９からの電圧を受け、ピンＰ２、Ｐ３はデータを伝送し、ピンＰ４は共通接地端に接続される。ＵＳＢコネクター１０２をＵＳＢインターフェース１０８に結合すると、コンピューター１０９はＵＳＢインターフェース１０８に結合される装置に電圧を転送する。本発明はこのことを利用し、ＵＳＢコネクター１０２のピンＰ１の電位を判断することで、ＵＳＢコネクター１０２がＵＳＢインターフェース１０８に結合されているかどうかを判断する。詳しく言えば、ＵＳＢインターフェース１０８で伝送される電圧を５Ｖとすれば、ＵＳＢコネクター１０２をＵＳＢインターフェース１０８に結合するとき、ピンＰ１の電圧は５Ｖとなり、ＵＳＢコネクター１０２をＵＳＢインターフェース１０８に結合しないとき、ピンＰ１の電圧は０Ｖである。したがって、ＵＳＢコネクター１０２がコンピューター１０９のＵＳＢインターフェース１０８に結合されているかどうかはこれに基づいて判断できる。
【０００９】
図３を参照する。図３は電圧安定器１０４を表す説明図である。図に示すように、電圧安定器１０４は、起動信号を受信する第一端１と、第一電圧を受ける第二端２と、第二電圧を出力する第三端３を備える。電圧安定器１０４は、第二端２から電圧を受けて所要の電圧に変換し、更に第一端１から受信した起動信号に基づいて、変換後の電圧を第三端３から出力する。例えば、電圧安定器１０４は５Ｖの電圧を３．３Ｖの電圧に変換し、更に起動信号にしたがってこの３．３Ｖの電圧を出力する。それに反し、起動信号を受信していない場合では、電圧安定器１０４は当該３．３Ｖの電圧を出力しない。本発明は電圧安定器１０４の出力電圧でＵＳＢ／ＳＡＴＡ変換コントローラー１０３の起動状態を制御する。
【００１０】
図４を参照する。図４はこの発明の実施例１によるインターフェースを自動的に切り替える保存装置４００を表す説明図である。図に示すように、インターフェースを自動的に切り替える保存装置４００は、ＳＡＴＡコネクター４０１と、ＵＳＢコネクター４０２と、ＵＳＢ／ＳＡＴＡ変換モジュール４１０と、ＨＤＤ１０６を含む。ＵＳＢ／ＳＡＴＡ変換モジュール４１０は、ＵＳＢ／ＳＡＴＡ変換コントローラー４０３と電圧安定器４０４を含む。インターフェースを自動的に切り替える保存装置４００は、コンピューター１０９のＵＳＢインターフェース１０８またはＳＡＴＡインターフェース１０７に結合され、ＵＳＢインターフェースとＳＡＴＡインターフェースを経由したＨＤＤ１０６とコンピューター間のデータ交換を可能にし、ユーザーによる手動切替を不要とする。ＨＤＤ１０６に結合されるＳＡＴＡコネクター４０１は、コンピューターのＳＡＴＡインターフェースと結合し、それより受信したＳＡＴＡ信号をＨＤＤ１０６に転送する。ＵＳＢコネクター４０２は、コンピューターのＵＳＢインターフェースと結合し、それより受信したＵＳＢ信号をＵＳＢ／ＳＡＴＡ変換コントローラー４０３に転送する。ＵＳＢ／ＳＡＴＡ変換コントローラー４０３は受信したＵＳＢ信号をＳＡＴＡ信号に変換してＨＤＤ１０６に転送する。電圧安定器４０４は、ＵＳＢコネクター４０２のピンＰ１に結合され、コンピューターから電圧を受けて起動信号とする第一端１と、第一電圧を受ける第二端２と、ＵＳＢ／ＳＡＴＡ変換コントローラー４０３に結合され、ＵＳＢ／ＳＡＴＡ変換コントローラー４０３に第二電圧を出力してその正常動作を確保するための第三端３を備える。図３に示すように、電圧安定器４０４は、第二端２から電圧を受けて所要の電圧に変換し、更に第一端１から受信した起動信号に基づいて、変換後の電圧を第三端３から出力する。
【００１１】
注意すべきは、現在のコントローラーは電源が入っているときに動作し、電源が入っていないときには動作せず、すべてのピンを高インピーダンスに設定する。したがって、電源が入っていないとき、コントローラーのピンは高インピーダンスに設定されているため、コントローラーに結合される装置は依然として正常に動作できる（諸装置はコントローラーに結合されていないとみなすことができる）。そのため、電源が入っていないとき、ＵＳＢ／ＳＡＴＡ変換コントローラー４０３は動作せず、ＳＡＴＡコネクター４０１とＨＤＤ１０６はＵＳＢ／ＳＡＴＡ変換コントローラー４０３を存在しない装置とみなす。したがって、ＳＡＴＡコネクター４０１とＨＤＤ１０６間のバスがＵＳＢ／ＳＡＴＡ変換コントローラーに結合されていても、バスでの信号伝送はそれに影響されない。
【００１２】
図４を参照する。本発明によるインターフェースを自動的に切り替える保存装置４００をコンピューターのＵＳＢインターフェースに結合するとき、コンピューターはＵＳＢインターフェースを介してＵＳＢコネクター４０２のピンＰ１に電圧を転送する。転送される電圧を５Ｖとすれば、ピンＰ１の電圧は５Ｖとなる。この場合、電圧安定器４０４を起動してＵＳＢ／ＳＡＴＡ変換コントローラー４０３に電圧を出力する。そうすると、ＵＳＢ／ＳＡＴＡ変換コントローラー４０３はＵＳＢコネクター４０２からのＵＳＢ信号をＳＡＴＡ信号に変換してＨＤＤ４０６に転送し、コンピューターとＨＤＤ１０６間の信号伝送を確立する。
【００１３】
図４を再び参照する。本発明によるインターフェースを自動的に切り替える保存装置４００をコンピューターのＳＡＴＡインターフェースに結合するとき、コンピューターはＵＳＢインターフェースを介して保存装置４００に結合されていないため、ＵＳＢコネクター４０２のピンＰ１は電圧を受信できず、すなわち、ピンＰ１の電圧は０Ｖである。この場合、電圧安定器４０４は電圧をＵＳＢ／ＳＡＴＡ変換コントローラー４０３に出力しない。ＵＳＢ／ＳＡＴＡ変換コントローラー４０３は電源が入っていないため動作せず、ＨＤＤ１０６に結合されるピンを高インピーダンスに設定する。そうすると、コンピューターとＨＤＤ１０６間の信号伝送はＵＳＢ／ＳＡＴＡ変換コントローラー４０３の影響を受けず、専らＳＡＴＡインターフェースを介して行われる。
【００１４】
したがって、前記保存装置４００はインターフェースを正確に切り替えられる。詳しく言えば、コンピューターのＵＳＢインターフェースに結合されるときは、ＵＳＢ／ＳＡＴＡ変換コントローラーを自動的に起動してＵＳＢ信号をＳＡＴＡ信号に変換し、ＨＤＤに転送する。コンピューターのＳＡＴＡインターフェースに結合されるときは、ＵＳＢ／ＳＡＴＡ変換コントローラーを自動的にオフにし、ＳＡＴＡ信号をＨＤＤに直接転送する。従来の技術と比べ、本発明はユーザーによる手動操作、及びその際に用いられるスイッチを不要とし、便利性を大きく向上させる。
【実施例２】
【００１５】
図５を参照する。図５は１３９４コネクター５０１を表す説明図である。図に示すように、１３９４コネクター５０１は４本のピンＰ５、Ｐ６、Ｐ７、Ｐ８を備え、これを介してコンピューターの１３９４インターフェースの対応するピンに結合する。各ピンは各々異なった機能を有する。詳しく言えば、ピンＰ５はコンピューターからの電圧を受け、ピンＰ６、Ｐ７はデータを伝送し（ピンＰ６とピンＰ７はいずれも差動ペアであるため、実際は４本のピンがある。ここでは説明を簡素化するため２本にする）、ピンＰ８は共通接地端に接続される。
【００１６】
本発明によるインターフェースを自動的に切り替える保存装置は１３９４インターフェースにも適する。図６を参照する。図６はこの発明の実施例２によるインターフェースを自動的に切り替える保存装置６００を表す説明図である。図に示すように、インターフェースを自動的に切り替える保存装置６００は、ＳＡＴＡコネクター６０１と、１３９４コネクター６０２と、１３９４／ＳＡＴＡ変換モジュール６１０と、ＨＤＤ１０６を含む。１３９４／ＳＡＴＡ変換モジュール６１０は、１３９４／ＳＡＴＡ変換コントローラー６０３と電圧安定器６０４を含む。インターフェースを自動的に切り替える保存装置６００は、コンピューター１０９の１３９４インターフェース１１０またはＳＡＴＡインターフェース１０７に結合され、１３９４インターフェースとＳＡＴＡインターフェースを経由したＨＤＤ１０６とコンピューター間のデータ交換を可能にし、ユーザーによる手動切替を不要とする。ＨＤＤ１０６に結合されるＳＡＴＡコネクター６０１は、コンピューターのＳＡＴＡインターフェースと結合し、それより受信したＳＡＴＡ信号をＨＤＤ１０６に転送する。１３９４コネクター６０２は、コンピューターの１３９４インターフェースと結合し、それより受信した１３９４信号を１３９４／ＳＡＴＡ変換コントローラー６０３に転送する。１３９４／ＳＡＴＡ変換コントローラー６０３は受信した１３９４信号をＳＡＴＡ信号に変換し、ＨＤＤ１０６に転送する。電圧安定器６０４は、１３９４コネクター６０２のピンＰ５に結合され、コンピューターから電圧を受けて起動信号とする第一端１と、第一電圧を受ける第二端２と、１３９４／ＳＡＴＡ変換コントローラー６０３に結合され、１３９４／ＳＡＴＡ変換コントローラー６０３に第二電圧を出力してその正常動作を確保するための第三端３を備える。図３に示すように、電圧安定器６０４は、第二端２から電圧を受けて所要の電圧に変換し、更に第一端１から受信した起動信号に基づいて、変換後の電圧を第三端３から出力する。
図６を参照する。本発明によるインターフェースを自動的に切り替える保存装置６００をコンピューターの１３９４インターフェースに結合するとき、コンピューターは１３９４インターフェースを介して電圧を１３９４コネクター６０２のピンＰ５に電圧を転送する。転送される電圧を５Ｖとすれば、ピンＰ５の電圧は５Ｖとなる。この場合、電圧安定器６０４を起動して１３９４／ＳＡＴＡ変換コントローラー６０３に電圧を出力する。そうすると、１３９４／ＳＡＴＡ変換コントローラー６０３は１３９４コネクター６０２からの１３９４信号をＳＡＴＡ信号に変換してＨＤＤ４０６に転送し、コンピューターとＨＤＤ１０６間の信号伝送を確立する。
【００１７】
図６を再び参照する。本発明によるインターフェースを自動的に切り替える保存装置６００をコンピューターのＳＡＴＡインターフェースに結合するとき、コンピューターは１３９４インターフェースを介して保存装置６００に結合されていないため、１３９４コネクター６０２のピンＰ５は電圧を受信できず、すなわち、ピンＰ５の電圧は０Ｖである。この場合、電圧安定器６０４は電圧を１３９４／ＳＡＴＡ変換コントローラー６０３に出力しない。１３９４／ＳＡＴＡ変換コントローラー６０３は電源が入っていないため動作せず、ＨＤＤ１０６に結合されるピンを高インピーダンスに設定する。そうすると、コンピューターとＨＤＤ１０６間の信号伝送は１３９４／ＳＡＴＡ変換コントローラー６０３の影響を受けず、専らＳＡＴＡインターフェースを介して行われる。
【００１８】
したがって、前記保存装置６００はインターフェースを正確に切り替えられる。詳しく言えば、コンピューターの１３９４インターフェースに結合されるときは、１３９４／ＳＡＴＡ変換コントローラーを自動的に起動して１３９４信号をＳＡＴＡ信号に変換し、ＨＤＤに転送する。コンピューターのＳＡＴＡインターフェースに結合されるときは、１３９４／ＳＡＴＡ変換コントローラーを自動的にオフにし、ＳＡＴＡ信号をＨＤＤに直接転送する。
【実施例３】
【００１９】
本発明の別の実施例として、１３９４インターフェース、ＵＳＢインターフェース及びＳＡＴＡインターフェースを同時に設けることも可能である。図７を参照する。図７はこの発明の実施例３によるインターフェースを自動的に切り替える保存装置７００を表す説明図である。図に示すように、保存装置７００は、ＳＡＴＡコネクター７０１と、１３９４コネクター７０２と、ＵＳＢコネクター７０３と、１３９４／ＳＡＴＡ変換モジュール６１０と、電圧安定器７０５と、ＵＳＢ／ＳＡＴＡ変換モジュール４１０とを含む。保存装置７００はコンピューター１０９のＵＳＢインターフェース１０８、１３９４インターフェース１１０またはＳＡＴＡインターフェース１０７に結合され、ＵＳＢインターフェース、１３９４インターフェースまたはＳＡＴＡインターフェースを経由したＨＤＤ１０６とコンピューター間のデータ交換を可能にし、ユーザーによる手動切替を不要とする。ＨＤＤ１０６に結合されるＳＡＴＡコネクター７０１は、コンピューターのＳＡＴＡインターフェース１０７と結合し、それより受信したＳＡＴＡ信号をＨＤＤ１０６に転送する。１３９４／ＳＡＴＡ変換モジュール６１０に結合される１３９４コネクター７０２はコンピューターの１３９４インターフェースと結合するのに用いられ、ＵＳＢ／ＳＡＴＡ変換モジュール４１０に結合されるＵＳＢコネクター７０３はコンピューターのＵＳＢインターフェースと結合するのに用いられる。保存装置７００の動作は前記保存装置４００、６００と同じである。すなわち、インターフェースを自動的に切り替える保存装置７００をコンピューターのＵＳＢインターフェースに結合するときは、ＵＳＢ／ＳＡＴＡ変換コントローラー７０６を起動してＵＳＢ信号をＳＡＴＡ信号に変換してＨＤＤ１０６に転送し、コンピューターの１３９４インターフェースに結合するときは、１３９４／ＳＡＴＡ変換コントローラー７０４を起動して１３９４信号をＳＡＴＡ信号に変換してＨＤＤ１０６に転送し、コンピューターのＳＡＴＡインターフェースに結合するときは、１３９４／ＳＡＴＡ変換コントローラー７０４とＵＳＢ／ＳＡＴＡ変換コントローラー７０６を起動せず、ＳＡＴＡコネクター７０１から受信したＳＡＴＡ信号をＨＤＤ１０６に直接転送する。したがって、本発明によるインターフェースを自動的に切り替える保存装置７００は、１３９４インターフェース、ＵＳＢインターフェース、ＳＡＴＡインターフェースの間に自動的に切り替わり、便利性を大きく向上させる。
以上はこの発明に好ましい実施例であって、この発明の実施の範囲を限定するものではない。よって、当権利者のなし得る修正、もしくは変更であって、この発明の意図の下においてなされ、この発明に対して均等の効果を有するものは、いずれもこの発明の特許請求の範囲に属するものとする。
【産業上の利用可能性】
【００２０】
この発明は従来のＵＳＢコネクターのピン電位を検出し、これに基づいてＵＳＢコネクターが接続されているかどうかを判断する。かかる方法は当然実施可能である。
【図面の簡単な説明】
【００２１】
【図１】従来のＨＤＤ外付けケースを表す説明図である。
【図２】図１に示す画素電極間の電位を示す模擬図である。
【図３】ＵＳＢコネクターを表す説明図である。
【図４】この発明の実施例１によるインターフェースを自動的に切り替える保存装置を表す説明図である。
【図５】１３９４コネクターを表す説明図である。
【図６】この発明の実施例２によるインターフェースを自動的に切り替える保存装置を表す説明図である。
【図７】この発明の実施例３によるインターフェースを自動的に切り替える保存装置を表す説明図である。
【符号の説明】
【００２２】
１００                        ＨＤＤ外付けケース
４００、６００、７００        保存装置
１０１、４０１、６０１        ＳＡＴＡコネクター
１０２、４０２、６０２        ＵＳＢコネクター
１０３、４０３、４１０        ＵＳＢ／ＳＡＴＡ変換モジュール
１０４、４０４、６０４        電圧安定器
１０５                        スイッチ
１０６                        ＨＤＤ
１０７                        ＳＡＴＡインターフェース
１０８                        ＵＳＢインターフェース
１０９                        コンピューター
５０１                        １３９４コネクター
６０３、６１０                １３９４／ＳＡＴＡ変換モジュール
Ｐ１−Ｐ８                    ピン
【図１】
2008192123.tif 000003
【図２】
2008192123.tif 000004
【図３】
2008192123.tif 000005
【図４】
2008192123.tif 000006
【図５】
2008192123.tif 000007
【図６】
2008192123.tif 000008
【図７】
2008192123.tif 000009